(57)【要約】【課題】工具を用いることなく支持体に対してランプホルダを容易に着脱し得るようにする。【解決手段】ランプ４が挿入されるランプホルダ６１と支持体６とには、ランプホルダ６１を一方向に摺動させたときに互いに係止し合って支持体６からのランプホルダ６１の浮きを阻止する浮上阻止係止部６６，７０と、これらの浮上阻止係止部６６，７０同士を係止させるためにランプホルダ６１を一方向に摺動させたときに互いに弾性的に係止し合ってランプホルダ６１の他方向の摺動動作を阻止する摺動阻止係止部６７，７２とが一体に形成され、摺動阻止係止部６７，７２の一方は両者の係止解除のために弾性的に屈撓自在に形成されている。したがって、工具を用いることなく支持体６に対してランプホルダ６１を容易に着脱することができる。【選択図】　　　　図９
2004030958.tif 000002
【特許請求の範囲】
【請求項１】
ランプの端部が挿入されるランプホルダと、このランプホルダを支える載置面が形成された支持体とを具備し、
前記ランプホルダと前記支持体とには、前記ランプホルダを前記載置面に沿う一方向に摺動させたときに互いに係止し合って前記載置面からの前記ランプホルダの浮きを阻止する浮上阻止係止部と、前記浮上阻止係止部同士を係止させるために前記ランプホルダを一方向に摺動させたときに互いに弾性的に係止し合って前記ランプホルダの他方向の摺動動作を阻止する摺動阻止係止部とが一体に形成され、
前記ランプホルダの前記摺動阻止係止部と前記支持体の前記摺動阻止係止部との一方は両者の係止解除のために弾性的に屈撓自在に形成されているランプ支持装置。
【請求項２】
前記支持体の前記摺動阻止係止部は弾性的に屈撓自在に形成されている請求項１記載のランプ支持装置。
【請求項３】
前記載置面は、前記ランプホルダと対向する位置で前記支持体に形成された凹部の周囲に形成され、前記支持体の前記浮上阻止係止部は、前記凹部の周囲から前記載置面に連続されて前記凹部の内方に突出する係止片により形成され、前記ランプホルダの前記浮上阻止係止部は、前記係止片が挿入される係止溝により形成されている請求項１又は２記載のランプ支持装置。
【請求項４】
前記載置面とは反対側の前記係止片の面に対向する前記係止溝の底面は、その係止溝の奥に向かうに従い次第に前記載置面側に向けて傾斜されている請求項３記載のランプ支持装置。
【請求項５】
請求項１ないし４の何れか一記載のランプ支持装置と、
前記ランプを含む光学系を原稿面に対して相対的にスキャンさせるスキャン手段と、
を具備するスキャナ装置。
【請求項６】
請求項５記載のスキャナ装置と、
前記スキャナ装置により読み取られた原稿画像に基づいて画像形成を行うプリンタ装置と、
を具備する複写機。
【発明の詳細な説明】
【０００１】
【発明の属する技術分野】
本発明は、ランプ支持装置、画像を読み取るスキャナ装置及び複写機に関する。
【０００２】
【従来の技術】
実公平７−１６２５３号公報に記載されているように、ファクシミリや複写機における読み取り用、或いは液晶表示器のバックライト用として用いられるランプ（例えば蛍光ランプ）は、コンパクトであることが要求されるため、細い直管状のバルブの内部両端に電極を封入し、電極に接続された一対のリード線をバルブの両端から導出した小型軽量のものが用いられている。そして、このような直管状のランプを用いる場合には、リード線に外力が及ぶことを防止し、或いはリード線間の絶縁距離を確保するために、絶縁材により形成されたランプホルダをランプの端部に装着し、ランプホルダを、回路部品が実装された基板に装着することが提案されている。
【０００３】
【発明が解決しようとする課題】
しかし、実公平７−１６２５３号公報に記載された「照明装置」では、ランプホルダを固定する方法として、ランプホルダに被せた固定金具をネジにより基板に固定する方法や、ランプホルダ自体をネジにより基板に固定する方法を採用しているため、固定金具やネジが必要になることで部品点数が増え、コストがアップする。また、組立作業に際して工具を必要とし、組立作業工数の増加及び組立時間の延長を招きコストアップになる問題がある。
【０００４】
本発明の目的は、工具を用いることなくランプホルダを容易に支持することができ、かつ、部品点数の低減を図ることができるランプ支持装置、スキャナ装置、複写機を提供することである。
【０００５】
【課題を解決するための手段】
請求項１記載のランプ支持装置は、ランプの端部が挿入されるランプホルダと、このランプホルダを支える載置面が形成された支持体とを具備し、前記ランプホルダと前記支持体とには、前記ランプホルダを前記載置面に沿う一方向に摺動させたときに互いに係止し合って前記載置面からの前記ランプホルダの浮きを阻止する浮上阻止係止部と、前記浮上阻止係止部同士を係止させるために前記ランプホルダを一方向に摺動させたときに互いに弾性的に係止し合って前記ランプホルダの他方向の摺動動作を阻止する摺動阻止係止部とが一体に形成され、前記ランプホルダの前記摺動阻止係止部と前記支持体の前記摺動阻止係止部との一方は両者の係止解除のために弾性的に屈撓自在に形成されている。
【０００６】
したがって、ランプの端部が挿入されたランプホルダを支持体の載置面に沿う一方向に摺動させることにより、浮上阻止係止部同士が係止し合い、摺動阻止係止部同士が係止し合う。この状態では、浮上阻止係止部同士の係止により載置面から浮く方向のランプホルダの動きが阻止され、摺動阻止係止部同士の係止によりランプホルダの摺動方向の動きが阻止される。一方の摺動阻止係止部を弾性的に屈撓させ他方の摺動阻止係止部との係止状態を解除すると、ランプホルダの他方向への摺動動作が許容され、その他方向へのランプホルダの摺動動作により浮上阻止係止部同士の係止状態が解除される。これにより、工具を用いることなく支持体に対してランプホルダを容易に着脱すること可能となり、かつ、部品点数の低減を図ることが可能なランプ支持装置を提供することができる。
【０００７】
請求項２記載の発明は、請求項１記載のランプ支持装置において、前記支持体の前記摺動阻止係止部は弾性的に屈撓自在に形成されている。
【０００８】
したがって、ランプホルダより大きな支持体に摺動阻止係止部を一体に形成する場合に、その摺動阻止係止部の長さを長くして曲げ応力の小さな摺動阻止係止部を容易に形成することが可能となる。また、ランプホルダの小型化を図ることが可能となる。
【０００９】
請求項３記載の発明は、請求項１又は２記載のランプ支持装置において、前記載置面は、前記ランプホルダと対向する位置で前記支持体に形成された凹部の周囲に形成され、前記支持体の前記浮上阻止係止部は、前記凹部の周囲から前記載置面に連続されて前記凹部の内方に突出する係止片により形成され、前記ランプホルダの前記浮上阻止係止部は、前記係止片が挿入される係止溝により形成されている。
【００１０】
したがって、ランプホルダを支持体の凹部に臨ませると、ランプホルダは凹部の周囲に形成された載置面により支えられ、その状態でランプホルダを一方向に摺動させると係止片が係止溝に挿入され、摺動阻止係止部同士が係止し合う。この状態では、係止片と係止溝との係止により載置面から浮く方向のランプホルダの動きが阻止される。
【００１１】
請求項４記載の発明は、請求項３記載のランプ支持装置において、前記載置面とは反対側の前記係止片の面に対向する前記係止溝の底面は、その係止溝の奥に向かうに従い次第に前記載置面側に向けて傾斜されている。
【００１２】
したがって、支持体の係止片はランプホルダの係止溝の奥に向けて挿入されるに従い係止溝の内面に挟持され、その結果、ランプホルダが係止片の一面と同一平面上に形成されている載置面に強固に圧接される。
【００１３】
請求項５記載のスキャナ装置は、請求項１ないし４の何れか一記載のランプ支持装置と、前記ランプを含む光学系を原稿面に対して相対的にスキャンさせるスキャン手段と、を具備する。
【００１４】
したがって、工具を用いることなく支持体に対してランプホルダを容易に着脱すること可能となり、かつ、部品点数の低減を図ることが可能なスキャナ装置を提供することができる。
【００１５】
請求項６記載の複写機は、請求項５記載のスキャナ装置と、前記スキャナ装置により読み取られた原稿画像に基づいて画像形成を行うプリンタ装置と、を具備する。
【００１６】
したがって、工具を用いることなく支持体に対してランプホルダを容易に着脱すること可能となり、かつ、部品点数の低減を図ることが可能な複写機を提供することができる。
【００１７】
【発明の実施の形態】
本発明のスキャナ装置の一実施の形態を図１ないし図７に基づいて説明する。本実施の形態は、フラットベッドタイプ（原稿固定型）のスキャナ装置への適用例を示す。
【００１８】
まず、スキャナ装置の全体構成を概略的に説明する。図１は、スキャナ装置の一実施の形態を概略的に示す縦断側面図である。スキャナ装置１は、上面に原稿載置用のコンタクトガラス２を備える筐体形状のスキャナハウジング３を有する。
【００１９】
スキャナハウジング３内には、ランプとしてのキセノンランプ（以降、Ｘｅランプという）４及び４５°傾斜の第１ミラー５を搭載する第１キャリッジ６、４５°傾斜で互いの反射面のなす角度が直交して読取り光軸を１８０°反転させる第２，第３ミラー７，８を搭載する第２キャリッジ９が設けられている。第１，第２キャリッジ６，９は、主走査方向（図１において紙面に対する垂直方向）を長手方向として配設され、副走査方向（図１において左右方向）に沿って２：１の速度比で往復動自在に設けられている。原稿画像の読み取りを待機している場合の第１，第２キャリッジ６，９は、図１中左端部位置のホームポジションに位置付けられている。Ｘｅランプ４、第１ミラー５、第２ミラー７、第３ミラー８は原稿面に沿ってスキャンさせる光学系である。
【００２０】
特に図示しないが、Ｘｅランプ４は、コンタクトガラス２に対向する位置にスリット（アパーチャ）が形成されるように、光反射面を軸心方向に向けてコンタクトガラス２から離反する側を覆う光反射膜が設けられている。これによって、Ｘｅランプ４が発光する光を有効に利用して、コンタクトガラス２に向けて照射する光の利用効率の向上を図ることができる。
【００２１】
また、スキャナハウジング３内には、第１，第２キャリッジ６，９を副走査方向に沿って往復動させるためのステッピングモータによる駆動モータ１０、読取素子としてのライン状のＣＣＤ１１を搭載するセンサボードユニット１２、レンズブロック１３を搭載するレンズブロックステー１４等が設けられている。
【００２２】
加えて、スキャナハウジング３の底板３ａには、コンタクトガラス２上に載置された原稿のサイズを検出する幅センサ１５及び長さセンサ１６等が設けられている。
【００２３】
次に、スキャナ装置１が備える各部について説明する。図２はスキャナ装置１の内部構造を示す水平断面図、図３はその縦断側面図、図４はスキャナハウジング３内に設けられた各部を示す斜視図、図５はその一部を示す斜視図、図６はベルトの係止・固定による力の作用方向を概略的に示す説明図、図７は第１，第２キャリッジ６，９の移動動作についての動滑車の原理を略図的に示す説明図である。
【００２４】
スキャナハウジング３の副走査方向に沿って立ち上げられた左右一対の側壁３ｂ（図２参照）にはレール部材１７が各々取り付けられている。これらのレール部材１７は断面形状がコの字形状を有しており、これによって、図３に示すように上下方向で対向するレール１７ａ，１７ｂが２段レール構造として形成されている。以降、上側で対をなすレールを第１キャリッジ６用の第１レール１７ａ、下側で対をなすレールを第２キャリッジ９用の第２レール１７ｂと称して説明する。このように第１，第２キャリッジ６，９の走行摺動面をレール１７ａ，１７ｂとして分けることにより、第１，第２キャリッジ６，９の位置（ホームポジション状態で）を近づけることができ、スキャナ装置１全体の大きさを必要最小限に小さくするのに役立つ。
【００２５】
図２に示すように、スキャナハウジング３の主走査方向に沿って立ち上げられたホームポジション側の壁３ｃには、ホームポジションに位置づけられた第２キャリッジ９の上下方向への移動を規制するためのストッパ１７ｃが壁３ｃの一部の切り起し片により一体に形成されている。これらのストッパ１７ｃは第２キャリッジ９のミラーステー９ａ（後述）に形成されたＬ字状腕部９ｃ（図５参照）に対応する位置に形成されている。
【００２６】
第１キャリッジ６の下面四隅にはスライダ（図示せず）が設けられており、これらの４つのスライダを第１レール１７ａの上面に当接させることで副走査方向に沿って往復動自在とされている。
【００２７】
第１キャリッジ６の下面両端部には、スキャナハウジング３内のほぼ全長に亘り副走査方向に沿って延出するエンドレスタイプのタイミングベルト２１が各々配設されている。タイミングベルト２１の一部は、後述する平ベルト３０の一部とともに、ベルトクランプ６ａ（図３、図５ないし図７参照）によって、第１キャリッジ６の端部側下面に係止されている。この際、ベルトクランプ６ａの形状は、タイミングベルト２１と平ベルト３０との第１キャリッジ６に対する係止個所の高さが同一高さ（水平状態）となるように定められている（図５参照）。１つのベルトクランプ６ａにつきタイミングベルト２１と平ベルト３０とを同時に同一平面内で係止させた時、第１キャリッジ６は、レール１７ａに押さえつけられるように、第１タイミングベルト２１と平ベルト３０とを少し持ち上げて第１キャリッジ６に締結されている（略図的に示す図６参照）。このようにすることで、第１キャリッジ６の４隅下側に取り付けられたスライダがレール１７ａ上に確実に接触して走査でき、読み取り画像のジター防止に効果がある。また、第１キャリッジ６は、平ベルト３０を介して第２キャリッジ９を走査方向に引っ張っているが、タイミングベルト２１と平ベルト３０とを同一平面で固定しているため、第１キャリッジには回転モーメントが発生しない。
【００２８】
各タイミングベルト２１の一端側は、主走査方向に沿って延出する駆動軸２２の両端部に各々固定された駆動タイミングプーリ２３に架け渡されている。各タイミングベルト２１の他端側は、スキャナハウジング３に取り付けられた従動タイミングプーリ２４に架け渡されている。従動タイミングプーリ２４は、従動タイミングプーリ２４とスキャナハウジング３との間に架け渡された図示しない引っ張りスプリングによって駆動タイミングプーリ２３から離反する方向へ付勢されている。これにより、各タイミングベルト２１に対して、副走査方向にテンションが加えられる。
【００２９】
駆動軸２２の一端には、駆動伝達タイミングプーリ２５ａが取り付けられている。上述の駆動モータ１０は、駆動伝達タイミングプーリ２５ａの側方に配設されている。図３に示すように、駆動モータ１０の駆動軸１０ａ上にはハスバギヤ１０ｂが固定され、減速ギヤ２５ｂと噛み合い回転する。減速ギヤ２５ｂには同軸上に位置させて伝達用タイミングプーリ２５ｃが設けられ、この伝達用タイミングプーリ２５ｃと駆動伝達タイミングプーリ２５ａとの間にはエンドレスタイプの駆動タイミングベルト２６が架け渡されている。これにより駆動モータ１０の駆動力が駆動軸２２を介して駆動タイミングプーリ２３に伝達される。
【００３０】
なお、駆動モータ１０の後ろ側には回転の安定化を図って鉄製の円盤が駆動軸１０ａに固定されている。ハスバギヤ１０ｂ側には駆動モータ１０とモータブラケットの間に防振用のゴムダンパーが配されている。モータブラケットは前述した駆動タイミングベルト２６の張力を調整するためにスライド可能になっており、スプリングにより所定のテンションが掛けられた後、ネジ止めされる。
【００３１】
第２キャリッジ９は、第２，第３ミラー７，８の両端を支持する一対のミラーステー９ａと、ミラーステー９ａの両外側から第１キャリッジ６側へ向けて延出するアーム９ｂとを有している。このアーム９ｂの延出長さは、第２キャリッジ９の副走査方向への移動量相当の長さとされている。従って、本実施の形態の第２キャリッジ９は平面的に見て略コ字状とされている。このような第２キャリッジ９において、ミラーステー９ａの外側には、ミラーステー９ａの面方向に沿って回転自在な平プーリ２７が設けられ、アーム９ｂの先端部には平プーリ２７と対をなす平プーリ２９を回転自在に保持するブラケット２８が取り付けられており、これらの平プーリ２７，２９間には平ベルト３０が架け渡されている。この際、平面的に見て平ベルト３０がタイミングベルト２１と少し離れて平行となるように平プーリ２７，２９等が配設されている。また、平プーリ２９を支持するブラケット２８はアーム９ｂに対してスライド可能であり、スプリング（図示せず）より所定のテンションをもって取り付けられている。即ち、平ベルト３０に関しては、タイミングベルト２１のように駆動力を伝達する必要がないため、基本的には、平プーリ２７，２９間で弛みがなければ張力を必要としないが、組立時に弛みが生じないようにするため、数百ｇｒ程度の弱いテンションを掛けているものである。このようにテンションが弱いため、玉軸受けを用いなくても平プーリ２７，２９とこれらの平プーリ２７，２９を回転支持している軸（駆動軸２２等）との回転負荷は非常に小さい。
【００３２】
加えて、第２キャリッジ９の下面には、第２キャリッジ９全体での対角位置となる四隅に図示しないスライダが設けられており、これらの４つのスライダを第２レール１７ｂの上面に当接させることで副走査方向に沿って往復動自在とされている。
【００３３】
第２キャリッジ９は、各々のアーム９ｂをタイミングベルト２１の内周側に位置させるようにして配設されている。このとき、一対の平ベルト３０は、主走査方向において、一対のタイミングベルト２１の内側に位置付けられる。
【００３４】
各平ベルト３０の一部は、スキャナハウジング３の底板３ａに固定された固定部材３１に係止させることにより位置固定されている。この固定部材３１による平ベルト３０の固定位置は、ベルトクランプ６ａによる第１キャリッジ６の平ベルト３０に対する係止位置に対して略半周異なる位置となるように設定されている。このように平ベルト３０の一部が固定部材３１により位置固定されているため、ベルトクランプ６ａによる係止位置でタイミングベルト２１に追従させて平ベルト３０を移動させても平ベルト３０自身は回転することなく動滑車の原理に従い平プーリ２７，２９とともに副走査方向に移動することとなる。従って、これらの平プーリ２７，２９及び平ベルト３０を支持する第２キャリッジ９も副走査方向に移動することとなる。
【００３５】
前述したように、平ベルト３０の上側は、少し持ち上げた状態で第１キャリッジ６に係止されていることから、第２キャリッジ９には第１キャリッジ６に持ち上げられるような力が作用している。しかし、平ベルト３０の下側を底板３ａに取り付けられた固定部材３１により固定される高さを少し下側の位置で固定されており、固定部材３１は第２キャリッジ９を下方向に引き付ける力が作用している（略図的に示す図６参照）。本実施の形態では、この上下に作用する力を略同等とすることより、第２キャリッジ９はレール１７ｂに確実に接触しながら走査することができる。これによって、第２キャリッジ９に対して下方へ付勢する力を作用させることができ、往復動に際しては第２キャリッジ９の下面を第２レール１７ｂから浮き上がることなく確実に当接させながら安定して走行移動させることができる。
【００３６】
光学系としてのＸｅランプ４、第１ミラー５、第２ミラー７、第３ミラー８を原稿面に沿ってスキャンさせるスキャン手段３２は、Ｘｅランプ４と第１ミラー５とが搭載された第１キャリッジ６、第２ミラー７と第３ミラー８とが搭載された第２キャリッジ９、これらのキャリッジ６，９を摺動自在に支持するレール１７、駆動モータ１０により駆動されるタイミングベルト２１及び平ベルト３０、固定部材３１により構成されている。
【００３７】
このようなスキャナ装置１において、原稿画像の読み取りに際しては、駆動モータ１０を駆動して第１，第２キャリッジ６，９を２：１の速度比で往復動させ、Ｘｅランプ４を点灯することで原稿画像を露光走査する。これにより、Ｘｅランプ４から発光された光が、コンタクトガラス２を介して原稿面で反射されて第１ミラー５に到達した後、第２，第３ミラー７，８で順次反射されて、レンズブロック１３を介して、ＣＣＤ１１に集光されて原稿画像の読み取りが行われる。
【００３８】
次に、本発明の複写機の一実施の形態を図８に基づいて説明する。図８は複写機の一実施の形態を概略的を示す縦断側面図である。複写機４０は、上側に配置された前述の実施の形態のような構成のスキャナ装置１と、このスキャナ装置１で読み取った原稿の画像を用紙に形成するプリンタ装置４１とを有している。
【００３９】
プリンタ装置４１内には、シート状の用紙を積層保持する給紙トレイ４２あるいは手差しでの用紙を受付ける手差しトレイ４３から、プリンタエンジン４４、定着ユニット４５を介して排紙スタッカ部４６へ至る用紙搬送路４７が形成されている。
【００４０】
本実施の形態では、感光体（本実施の形態では有機感光体）４８と、その周囲に配設された帯電器（図示せず）、露光器５０、現像器５１、転写器５２とを有する電子写真方式のプリンタエンジン４４を使用している。
【００４１】
また、プリンタ装置４１内には、片面に画像を形成した用紙を反転するための用紙反転機構５３が設けられている。
【００４２】
このような構成において、スキャナ装置１で読み取った原稿画像はプリンタ装置４１により感光体４８上で作像されて現像され、給紙トレイ４２あるいは手差しトレイ４３から給紙された用紙に転写され、その用紙に転写されたトナー画像は定着ユニット４５により定着される。
【００４３】
なお、これらの実施の形態では、スキャナ装置１としてＣＣＤ１１を備えるデジタルスキャナへの適用例を示したが、例えば、第３ミラー８により反射された原稿画像光を結像レンズ、反射ミラー等を介して感光体上に直接露光させるアナログ複写機等にも適用可能である。
【００４４】
ここで、図９ないし図１３を参照して本発明のランプ支持装置の一実施の形態について説明する。図９はランプ支持装置の組立構造を示す一部の分解斜視図、図１０はランプホルダの底面図、図１１はランプホルダの平面図、図１２は支持体の片方の端部を示す平面図、図１３は支持体にランプホルダの組み立てる過程を示す説明図である。この図１３は、図１２におけるＡ−Ａ線部において第１キャリッジ６のみを断面にして示している。
【００４５】
本実施の形態におけるランプ支持装置６０は、前述したスキャナ装置１で使用するランプであるＸｅランプ４を支持するためのものとして説明する。したがって、Ｘｅランプ４の端部が挿入されるランプホルダ６１を支持する支持体とは、具体的には第１キャリッジ６である（図１ないし図４、図８参照）。この第１キャリッジ６の上面には、Ｘｅランプ４の光を原稿面に向けて反射する反射板（図示せず）、前述した第１ミラー５などが取り付けられ、裏面にはＸｅランプ４を発光させるための安定器（インバータ）が取り付けられている。この安定器にはＸｅランプ４の端部から導出されたランプケーブル（図示せず）が接続されている。
【００４６】
第１キャリッジ６の端部にはランプホルダ６１に対向する凹部６２が形成されている。この凹部６２は、この例では下方に貫通する状態で形成されているが底がある状態で形成されていてもよい。第１キャリッジ６の上面の領域において、Ｘｅランプ４の軸線を中心とする凹部６２の両側はランプホルダ６１を支える載置面６３である。Ｘｅランプ４の軸線を中心とする凹部６２の両側壁６４の一部には外側に窪む切欠６５が形成されている。さらに、第１キャリッジ６の端部側には、凹部６２の周囲から載置面６３に連続されて凹部６２の内方に突出する係止片６６が浮上阻止係止部として一体に形成されている。さらに、凹部６２の片方の側壁６４において、係止片６６とは反対側の位置で切欠６５と隣接する位置には、摺動阻止係止部としてのストップアーム６７が一体に形成されている。このストップアーム６７の両側には、このストップアーム６７が第１キャリッジ６を形成する材料の弾性により板厚方向に弾性的に屈撓し得るようにスリット６８が形成されている。
【００４７】
ランプホルダ６１は蒲鉾状の形状を有し、Ｘｅランプ４の軸線を中心とする両側には、第１キャリッジ６の載置面６３に摺動自在に支えられる当接面６９と、第１キャリッジ６の端部に形成された係止片６６が挿入される浮上阻止係止部としての係止溝７０とが形成されている。図９で明らかなように、これらの係止溝７０は、Ｘｅランプ４の軸線を中心とする内側を除く三方が開放されたコの字形の断面形状をもって形成され、入口端部側の開口面における三辺の縁には係止片６６の挿入を容易にするために面取り７１が施されている。これらの係止溝７０の天井面は前述の当接面６９の一部によって形成され、底面７０ａは係止溝７０の奥に向かうに従い次第に上方に向けて傾斜されている。さらに、片側の当接面６９の中央部には、第１キャリッジ６のストップアーム６７に対応する摺動阻止係止部としてのストッパ７２が下方に突出する状態で一体に形成されている。このストッパ７２は、係止片６６の先端に当接する第１ストッパ面７２ａと、その反対側に配置されてストップアーム６７に当接する第２ストッパ面７２ｂとを有する。図１０で明らかなように、ランプホルダ６１の両側に形成された当接面６９は、Ｘｅランプ４側の端部において同一平面内でコの字形に連続されている。
【００４８】
このような構成において、図１３（ａ）に示すように、ストップアーム６７とストッパ７２とが対向するように、Ｘｅランプ４が挿入されたランプホルダ６１を第１キャリッジ６の上面に対向させる。次に、同図（ｂ）に示すように、ストッパ７２の圧力でストップアーム６７が弾性的に下方に屈撓するまでランプホルダ６１を第１キャリッジ６の凹部６２に押し付けると、ランプホルダ６１の当接面６９が第１キャリッジ６の載置面６３に支えられる。次に、同図（ｃ）に示すように、第１キャリッジ６に対してランプホルダ６１を相対的に左方に摺動させると、ランプホルダ６１の係止溝７０に第１キャリッジ６の係止片６６が挿入される。この過程では、ストップアーム６７を押圧していたストッパ７２が係止片６６側の切欠６５内に移動するため、ストップアーム６７は自らの弾性により上方に復帰する。この状態では、ストッパ７２の第１ストッパ面７２ａ（図９参照）と係止片６６の先端との当接により、第１キャリッジ６に対するランプホルダ６１の相対的な左方への摺動動作が禁止され、ストッパ７２の第２ストッパ面７２ｂ（図９参照）とストップアーム６７との当接により、第１キャリッジ６に対するランプホルダ６１の相対的な右方への摺動動作が禁止され、係止溝７０に係止片６６が挿入されるために載置面６３に対するランプホルダ６１の浮上方向の動きが固定される。
【００４９】
前述のように、係止溝７０の底面７０ａは係止溝７０の奥に向かうに従い次第に上方に向けて傾斜されている。換言すれば、図１３（ｂ）（ｃ）で明らかなように、載置面６３とは反対側の係止片６６の面６６ａに対向する係止溝７０の底面７０ａは、その係止溝７０の奥に向かうに従い次第に載置面６３側に向けて傾斜されているので、係止片６６はランプホルダ６１の係止溝７０の奥に向けて挿入されるに従い係止溝７０において底面７０ａと当接面６９とにより挟持され、その結果、ランプホルダ６１を係止片６６の一面と同一平面上に形成されている載置面６３に強固に圧接することができる。
【００５０】
なお、係止溝７０の底面７０ａを奥に向かうに従い上方に傾斜させると、係止溝７０に対して係止片６６を圧入させることができるので、敢えてストッパ７２の第１ストッパ面７２ａを係止片６６の先端に当接させなくても、第１キャリッジ６に対するランプホルダ６１の相対的な左方への摺動動作を禁止することができる。
【００５１】
図１３（ｃ）において、ストップアーム６７を手動により弾性的に下方に屈撓させてストッパ７２との係止状態を解除すると、ランプホルダ６１を右方に摺動させることができる。これにより、係止溝７０から係止片６６を相対的に抜き出して両者の係止状態を解除することができる。
【００５２】
以上のように、第１キャリッジ６に対するランプホルダ６１の着脱操作を、工具を用いることなく容易に行うことができる。また、第１キャリッジ６は係止片６６とストップアーム６７とを一体に有し、ランプホルダ６１は係止溝７０とストッパ７２とを一体に有するため、部品点数の低減を図ることができる。
【００５３】
さらに、ランプホルダ６１より大きな第１キャリッジ６にストップアーム６７を一体に形成する場合に、そのストップアーム６７の長さを長くして曲げ応力の小さなストップアーム６７を容易に形成することができる。また、ランプホルダ６１のストッパ７２は弾性的に屈撓させる必要がないために小さなもので済み、これにより、ランプホルダ６１の小型化を図ることができる。
【００５４】
なお、本発明のランプ支持装置は、スキャナ装置以外の装置のランプを支持する場合にも適用できることは言うまでもない。
【００５５】
【発明の効果】
請求項１記載の発明によれば、ランプの端部が挿入されたランプホルダを支持体の載置面に沿う一方向に摺動させることにより、浮上阻止係止部同士が係止し合い、摺動阻止係止部同士が係止し合うので、載置面から浮く方向のランプホルダの動きと、ランプホルダの摺動方向の動きとを阻止することができ、また、一方の摺動阻止係止部を弾性的に屈撓させ他方の摺動阻止係止部との係止状態を解除し、ランプホルダを他方向への摺動させることで、支持体からランプホルダを外すことができ、これにより、工具を用いることなく支持体に対してランプホルダを容易に着脱することができ、かつ、部品点数の低減を図ることが可能なランプ支持装置を提供することができる。
【００５６】
請求項２記載の発明によれば、請求項１記載の発明と同様の効果を奏することができ、さらに、ランプホルダより大きな支持体に摺動阻止係止部を一体に形成する場合に、その摺動阻止係止部の長さを長くして曲げ応力の小さな摺動阻止係止部を容易に形成することができ、また、ランプホルダの小型化を図ることができる。
【００５７】
請求項３記載の発明によれば、ランプホルダを支持体の凹部に臨ませると、ランプホルダは凹部の周囲に形成された載置面により支えられ、その状態でランプホルダを一方向に摺動させると係止片が係止溝に挿入され、摺動阻止係止部同士が係止し合うので、請求項１の発明と同様の効果を奏することができる。
【００５８】
請求項４記載の発明によれば、請求項３記載の発明と同様の効果を奏することができ、さらに、支持体の係止片はランプホルダの係止溝の奥に向けて挿入されるに従い係止溝の内面に挟持されるので、ランプホルダを支持体の載置面に強固に圧接させて固定することができる。
【００５９】
請求項５記載の発明によれば、工具を用いることなく支持体に対してランプホルダを容易に着脱すること可能となり、かつ、部品点数の低減を図ることが可能なスキャナ装置を提供することができる。
【００６０】
請求項６記載の発明によれば、工具を用いることなく支持体に対してランプホルダを容易に着脱すること可能となり、かつ、部品点数の低減を図ることが可能な複写機を提供することができる。
【図面の簡単な説明】
【図１】本発明のスキャナ装置の一実施の形態を概略的に示す縦断側面図である。
【図２】スキャナ装置を示す水平断面図である。
【図３】その縦断側面図である。
【図４】スキャナハウジング内に設けられた各部を示す斜視図である。
【図５】その一部を示す斜視図である。
【図６】ベルトの係止・固定による力の作用方向を概略的に示す説明図である。
【図７】第１，第２キャリッジの移動動作についての動滑車の原理を略図的に示す説明図である。
【図８】本発明の複写機の一実施の形態を概略的に示す縦断側面図である。
【図９】本発明のランプ支持装置の一実施の形態を示すもので、そのランプ支持装置の組立構造を示す一部の分解斜視図である。
【図１０】ランプホルダの底面図である。
【図１１】ランプホルダの平面図である。
【図１２】支持体の片方の端部を示す平面図である。
【図１３】支持体にランプホルダの組み立てる過程を示す説明図である。
【符号の説明】
１　スキャナ装置
４　ランプ、光学系
５，７，８　光学系
６　支持体
３２　スキャン手段
６１　ランプホルダ
６２　凹部
６３　載置面
６６　浮上阻止係止部、係止片
６６ａ　係止片の面
６７　摺動阻止係止部
７０　浮上阻止係止部、係止溝
７０ａ　係止溝の底面
４１　プリンタ装置
【図１】
2004030958.tif 000003
【図２】
2004030958.tif 000004
【図３】
2004030958.tif 000005
【図４】
2004030958.tif 000006
【図５】
2004030958.tif 000007
【図６】
2004030958.tif 000008
【図７】
2004030958.tif 000009
【図８】
2004030958.tif 000010
【図９】
2004030958.tif 000011
【図１０】
2004030958.tif 000012
【図１１】
2004030958.tif 000013
【図１２】
2004030958.tif 000014
【図１３】
2004030958.tif 000015